(57)【要約】  【課題】  節足動物の捕獲が確実で、製作が容易かつ安価で、特に運搬・設営・回収性の良い羽化トラップの提供を目的とする。  【解決手段】  下部に防腐液が注入された捕獲袋１２０を懸垂保持する保持棒１６０が係止され、節足動物を捕獲袋に誘導する誘導孔１４１の設けられた上部円筒１４０と、誘導テント１１０が被着固定され前記上部円筒に螺着される下部円筒１５０と、該下部円筒１５０が上端部に固定され、前記誘導テント１１０を所定の高さに張設する支柱１３０とから構成され、地中等から誘導テント１１０、支柱１３０を登攀し、或いは飛翔して、捕獲袋１２０の防腐液に浮遊・沈殿した節足動物を防腐液と分離し、収納可能なサンプル管により持ち帰る。【選択図】   図１
2007082439.tif 000002
【特許請求の範囲】
【請求項１】
節足動物を捕獲収納する捕獲袋と、
節足動物を前記捕獲袋に誘導する誘導テントと、
該誘導テントの中央開口部を下部に、該捕獲袋の下側の開口部を中央部に被着固定する内面粗の円筒部材と、
前記捕獲袋を懸垂保持し、前記円筒部材の上部に係止する保持棒と、
上端部に前記円筒部材を定着固定し、前記誘導テントの中央部を所定の高さに張設する支柱と、
前記誘導テントの周端の接地部を地表に固定する固定部材と、
から構成される羽化トラップであって、
前記円筒部材の側面には１以上の誘導孔が設けられ、
地中或いは地表から前記誘導テント又は支柱を登攀し、或いは飛翔する節足動物を前記捕獲袋に捕獲する羽化トラップ。
【請求項２】
前記誘導テントが単一のシート状素材から縫合することなく形成されることを特徴とする請求項１に記載の羽化トラップ。
【請求項３】
前記誘導テントを地表に固定する接地部が、上記シート状素材の周縁部を多重に折畳んで形成されていることを特徴とする請求項１又は２に記載の羽化トラップ。
【請求項４】
前記捕獲袋が、熱溶着可能な樹脂製のシートからなり、前記保持棒を挿入し、かつ防腐液を注入する上側の開口がビニール製チャックによって開閉可能であることを特徴とする請求項１乃至３のいずれか１に記載の羽化トラップ。
【請求項５】
前記円筒部材が上部に前記保持棒を係止し、下部に前記捕獲袋の下側の開口を被着固定する上部円筒と、
下部に前記誘導テントの中央開口部を被着固定し、内面に前記支柱の上端部が固定される下部円筒とからなり、
該上部円筒と該下部円筒とが螺着結合されることを特徴とする請求項１乃至４のいずれか１に記載の羽化トラップ。
【請求項６】
上記捕獲袋の下部に注入された防腐液に浮遊、沈殿した節足動物を、該防腐液から分離し、収納して持ち帰るサンプル管が構成部品に包含されていることを特徴とする請求項１乃至５のいずれか１に記載の羽化トラップ。
【請求項７】
上記サンプル管が、ストレーナ部を有し、上記上部円筒と下部円筒との螺着結合を解除して、該上部円筒の下部に螺着結合するものであることを特徴とする請求項５に記載の羽化トラップ。
【発明の詳細な説明】
【技術分野】
【０００１】
本発明は、生活史の一時期を土中或いは落葉層で過ごす農林害虫、衛生害虫等の節足動物の密度推定、生物相調査のために使用する羽化トラップの構造に関し、製作性の改良、特に運搬・設営・回収の改良に関する。
【背景技術】
【０００２】
農林害虫やその天敵及び衛生害虫を含む多くの節足動物、例えばワタアカミムシ、オオタバコガ、トウヒツヅリハマキ,シナノキハムグリハバチ、ナトビハムシ、ペカンゾウムシ等は、生活史の一時期を土中や落葉層で過ごし、羽化時や越冬覚醒の後、地上部へと移動分散する。これらの多くが光に対する正の走性や重力に対する負の走性をもっていることから、これらの特性を利用し、地表から移動分散する節足動物を効率的に捕獲する手段として羽化トラップが用いられている。
【０００３】
図１３、図１４は下記非特許文献１に記載されている従来例に係るピラミッド型とテント型の羽化トラップの説明図である。
【０００４】
図１３に示すピラミッド型の羽化トラップはアルミ等の金属、木、樹脂等で製作された４本の傾斜部材３１０、水平部材３２０によって骨格が形成され、その骨格の最上部には中央に丸孔の設けられた木製の天井板３４０が固定され、骨格の内面には綿、テトロン等の天然又は人工繊維からなる誘導ネット３３０が取付けられている。また天井板３４０の中央の丸孔には、外筒３５１と円錐状の内筒３５２からなるエビ採りポット型の捕獲容器３５０が取り付けられている。
【０００５】
図１４に示すテント型の羽化トラップはアルミ等の金属、木、樹脂等で製作された４本の傾斜部材４１０、水平部材４２０、垂直部材４５０によって骨格が形成され、その骨格の最上部には中央に丸孔の設けられた円環部材４６３が固定され、骨格の内面には綿、テトロン等の天然又は人工繊維からなる上部傾斜ネット４３０とアルミ等の金属からなる下部垂直板４４０が取付けられている。また上部の木製の円環部材４６３の中央の丸孔には、真鍮製の円筒４６２と上端が斜めに裁断された透明樹脂製のチューブ４６４とをコルク、ゴム等の充填材４６５を介して組み立てた内筒体４６６の上半分を、透明樹脂製の外筒４６１に嵌合した捕獲容器４６０が、真鍮製の円筒４６２の下半分を、円環部材４６３の丸孔に嵌入することによって取付けられている。そして、これらの羽化トラップを森林、農場等の節足動物を捕獲する目的地に破損しないように搬送して地表面に設営し、ピラミッド型羽化トラップについては水平部材３２０の複数箇所をペグ等で固定し、テント型トラップについては垂直部材４５０の下端部を土中に差込んで固定する。
【特許文献１】特開２００２−０１７２３１号公報
【非特許文献１】新版  昆虫採集学  ４３１〜４３３  編者  馬場  金太郎、平嶋  義宏  発行所  （財）九州大学出版会
【発明の開示】
【発明が解決しようとする課題】
【０００６】
しかしながら、上述の通り従来の羽化トラップは構造が複雑なため、その製作には、多種類の部品が必要であり、それらの採寸や加工及び組み立てに多くの時間が必要であり費用も嵩んだ。また従来使用されたピラミッド型及びテント型の羽化トラップは、立体的形状を保持するための強固な骨格（枠）を有し、その立体的形状を維持したまま目的地まで運搬する必要があるため、嵩張り複数個の羽化トラップを林野や山間地等へ運搬するのは容易ではなかった。本発明は上記問題点に鑑みて、種々検討の結果なされたものであり、節足動物の捕獲が確実で、製作が容易かつ安価で、さらに運搬・設営・回収性のよい羽化トラップの提供を目的とするものである。
【課題を解決するための手段】
【０００７】
上記目的を達成するための第１の発明は、節足動物を捕獲収納する捕獲袋と、節足動物を前記捕獲袋に誘導する誘導テントと、該誘導テントの中央開口部を下部に、該捕獲袋の下側の開口部を中央部に被着固定する内面粗の円筒部材と、前記捕獲袋を懸垂保持し、前記円筒部材の上部に係止する保持棒と、上端部に前記円筒部材を定着固定し、前記誘導テントの中央部を所定の高さに張設する支柱と、前記誘導テントの周端の接地部を地表に固定する固定部材と、から構成される羽化トラップであって、前記円筒部材の側面には１以上の誘導孔が設けられ、地中或いは地表から前記誘導テント又は支柱を登攀し、或いは飛翔する節足動物を前記捕獲袋に捕獲する羽化トラップである。
【０００８】
第２の発明は、第１の発明において、前記誘導テントが単一のシート状素材から縫合することなく形成されることを特徴とする羽化トラップである。
【０００９】
第３の発明は、第１又は第２の発明において、前記誘導テントを地表に固定する接地部が、上記シート状素材の周縁部を多重に折畳んで形成されていることを特徴とする羽化トラップである。
【００１０】
第４の発明は、第１乃至第３のいずれか１の発明において、前記捕獲袋が、熱溶着可能な樹脂製のシートからなり、前記保持棒を挿入し、かつ防腐液を注入する上側の開口がビニール製チャックによって開閉可能であることを特徴とする羽化トラップである。
【００１１】
第５の発明は、第1乃至第４のいずれか１の発明において、前記円筒部材が上部に前記保持棒を係止し、下部に前記捕獲袋の下側の開口を被着固定する上部円筒と、下部に前記誘導テントの中央開口部を被着固定し、内面に前記支柱の上端部が固定される下部円筒とからなり、該上部円筒と該下部円筒とが螺着結合されることを特徴とする羽化トラップである。
【００１２】
第６の発明は、第１乃至第５のいずれか１の発明において、上記捕獲袋の下部に注入された防腐液に浮遊、沈殿した節足動物を、該防腐液から分離し、収納して持ち帰るサンプル管が構成部品に包含されていることを特徴とする羽化トラップである。
【００１３】
第７の発明は、第５の発明において、上記サンプル管が、ストレーナ部を有し、上記上部円筒と下部円筒との螺着結合を解除して、該上部円筒の下部に螺着結合するものであることを特徴とする羽化トラップである。
【発明の効果】
【００１４】
第１の発明は、節足動物を捕獲収納する捕獲袋と、節足動物を前記捕獲袋に誘導する誘導テントと、該誘導テントの中央開口部を下部に、該捕獲袋の下側の開口部を中央部に被着固定する内面粗の円筒部材と、前記捕獲袋を懸垂保持し、前記円筒部材の上部に係止する保持棒と、上端部に前記円筒部材を定着固定し、前記誘導テントの中央部を所定の高さに張設する支柱と、前記誘導テントの周端の接地部を地表に固定する固定部材と、から構成される羽化トラップであって、前記円筒部材の側面には１以上の誘導孔が設けられ、地中或いは地表から前記誘導テント又は支柱を登攀し、或いは飛翔する節足動物を前記捕獲袋に捕獲する羽化トラップであるから、節足動物を確実に捕獲することができ、羽化トラップの構造が単純で、部品点数が少なく安価で、かつ部品の構成単位が小さく嵩張らず、その組立てと分解が容易であるため、運搬・設営・回収が容易であるという効果がある。
【００１５】
第２の発明は、第１の発明において、前記誘導テントが単一のシート状素材から縫合することなく形成されることを特徴とする羽化トラップであり、第３の発明は、第１又は第２の発明において、前記誘導テントを地表に固定する接地部が、上記シート状素材の周縁部を多重に折畳んで形成されていることを特徴とする羽化トラップであるから、更に誘導テントの製作が容易で且つ安価であり、特に運搬が容易であるという効果がある。
【００１６】
第４の発明は、第１乃至第３のいずれか１の発明において、前記捕獲袋が、熱溶着可能な樹脂製のシートからなり、前記保持棒を挿入し、かつ防腐液を注入する上側の開口がビニール製チャックによって開閉可能であることを特徴とする羽化トラップであるから、更に捕獲袋は製作が容易で且つ安価であり、特に保持棒の組付け、防腐液の捕獲袋への注入が容易であるという効果がある。
【００１７】
第５の発明は、第１乃至第４のいずれか１の発明において、前記円筒部材が上部に前記保持棒を係止し、下部に前記捕獲袋の下側の開口を被着固定する上部円筒と、下部に前記誘導テントの中央開口部を被着固定し、内面に前記支柱の上端部が固定される下部円筒とからなり、該上部円筒と該下部円筒とが螺着結合されることを特徴とする羽化トラップであるから、羽化トラップの運搬を、上部円筒に捕獲袋が被着固定された上部円筒体と、下部円筒に誘導テントが被着固定された下部円筒体とに分割して行うことができるので運搬性が極めて良好であるという効果がある。
【００１８】
第６の発明は、第１乃至第５のいずれか１の発明において、上記捕獲袋の下部に注入された防腐液に浮遊、沈殿した節足動物を、該防腐液から分離し、収納して持ち帰るサンプル管が構成部品に包含されていることを特徴とする羽化トラップであり、第７の発明は、第５の発明において、上記サンプル管が、ストレーナ部を有し、上記上部円筒と下部円筒との螺着結合を解除して、該上部円筒の下部に螺着結合するものであることを特徴とする羽化トラップであるから、捕獲袋の下部に注入された防腐液に浮遊、沈殿した節足動物を、該防腐液から容易に分離し、収納し、持ち帰ることができるという効果がある。
【発明を実施するための最良の形態】
【００１９】
図１は本発明の実施形態に係わる羽化トラップの斜視図である。図１において１００は羽化トラップの設営状態を示し、羽化トラップ１００は、不織布等で製作される誘導テント１１０と、ポリエチレンシート、塩化ビニールシート等で製作される節足動物の捕獲袋１２０と、誘導テントを角錐形状に張設するための支柱１３０と、支柱１３０や誘導テント１１０を登攀してきた或いは飛翔してきた節足動物を捕獲袋に誘導する誘導孔１４１の設けられた上部円筒１４０と、誘導テントの中央部を張設し上部円筒１４０の下部に接続固定されると共に、支柱１３０に接続固定される下部円筒１５０と、上部円筒１４０の上部に係止され、捕獲袋１２０を所定の形状に懸垂保持するための保持棒１６０と、誘導テント１１０の接地部１１７を地面に固定する固定部材１７０とから構成されている。
【００２０】
図２は本発明の実施形態に係る誘導テントの説明図であり、（A）は折畳み前の状態図、（B）は周縁部を折畳んだ後の状態図、（C）は完成図である。
【００２１】
図３は本発明の実施形態に係る誘導テントの４隅の折畳みの手順の説明図である。図２において、誘導テント１１０は、透光性があり、折り目がつけやすく、通気性の高い不織布等を用いるのが好ましい。正方形の素材の４隅にそれぞれ切込み１１２を入れ、４隅１１１を切除する。素材の中央には十字型の切込み１１６を入れる。素材の周縁部１１５を９重程度で、幅２５ｍｍ程度に折畳み、数箇所をホッチキス針１１４等で止め、接地部１１７を形成する。４辺の接地部１１７の両端と中央に固定部材（ぺグ）１７０を挿通するための孔１１３をあける。
【００２２】
図３において、一点鎖線は山（手前側凸状）折り、破線は谷（手前側凹状）折りを示している。最初に一点鎖線部を山折りにして、１、２、３と１’，２’、３’を重ね（図Ａ）、次に１を２に折り重ねる（図Ｂ）。その次に、１’を３に折り重ねて（図Ｃ、Ｄ）、誘導テントを完成させる（図Ｅ）。
【００２３】
図４は本発明の実施形態に係る捕獲袋、上部円筒及び下部円筒の組付け状態における正面視断面図である。図５は図４に係る側面視断面である。図６は本発明の実施形態に係る捕獲袋の正面図であり、組付ける前の状態を示している。図７は本発明の実施形態に係る捕獲袋の開閉操作の説明図であり、開放状態図を示す断面図である。
【００２４】
図４において、１２１は捕獲袋１２０の本体であり、正面視ロート形状の 薄いポリエチレン、塩化ビニール等の熱溶着可能な透明のシート２枚を重ね合わせて加熱溶着し溶着ラインの外部を切除して袋状に形成したものである。
【００２５】
図中太線で表示した部分は溶着ライン、太い破線で表示した部分はビニール製チャックを示している。１２８は捕獲袋を羽化トラップに組付けるときに、捕獲袋を保持する保持棒１６０の右端を挿入する盲孔であり、１２９は保持棒の左端の挿入をガイドするガイドチューブ１６２を挿入する穴である。
【００２６】
１２５は上部円筒１４０を挿通して、固定するための下側の開口、１２４は保持棒１２９を取付ける作業孔となり、後述の防腐液を注入するための上側の開口であり、ビニール製チャック１２２を開放することによって開口される（図６、図７）。
【００２７】
図１０は本発明の実施形態に係る上部円筒の詳細説明図であり、（A）は正面図、（B）は左側面図である。図１１（A）は図１０に示す上部円筒の右側面図、（B）は図（Ａ）に係る平面図である。
【００２８】
図１０、図１１において、１４０は上部開口１４２と、下部開口１４４を有し、左右側面に節足動物を誘導する誘導孔１４１が設けられたる裁頭砲弾状の外形をなし、透明の樹脂で成形された上部円筒である。内面は節足動物が登攀し易いように粗面加工がなされている。１４３は保持棒１６０を固定するための溝であり、上部円筒１４０の上縁部に設けられ、保持棒１６０の中央部の拡径部１６１を上部円筒１４０の上部開口１４２に位置せしめて、図１１（C）に示すように、保持棒１６０を固定用の溝１４３に係合させ押込むことにより保持棒の拡径部１６１は（１）の位置から狭小部（２）を通過し、底部（３）に達する。この位置で保持棒１６０を右周りに回転させると狭小部を経て（４）の位置に着座する。上部円筒１４０の下端部内面には、下部円筒１５０と螺着するための雌ネジ１４６が形成され、外面には捕獲袋１２０の下側の開口１２５をUの字状の押圧板１４８を介してビス１４７により固定するためのネジ用下孔１４５が設けられている（図４、図５）。
【００２９】
１５０は上部と下部が開放した、透明の樹脂で成形された略直管状をなす下部円筒であり、内面は節足動物が登攀し易いように粗面加工がなされている。この下部円筒１５０の上部外面には上部円筒１４０の下端部と螺着するための雄ネジ１５２が形成され、下部には鍔１５１が設けられ、その下側に誘導テントの切込み（中央開口）１１６をUの字状の押圧板１５３を介してビス１５６で固定するためのネジ用下孔が設けられ、また後述の支柱１３０に固定するための蝶ネジ１３６用の孔、ロケート兼用のビス１５４、１５５用下孔が設けられている。なおビス１５４は、誘導テント１１０と押圧板１５３を下部円筒に押圧するビスと、ロケートピンの機能を有し、ビス１５６より大きくビス１５５と同サイズのものを使用している（図４、図５）。
【００３０】
図９は本発明の実施形態に係る誘導テントの支柱の説明図であり、（A）は正面図、（B）は上部の断面図、（C）は平面図である。
【００３１】
図９において、１３１は樹脂、木等で製作された断面円形の支柱本体であり、中央よりやや下側に鍔１３４が設けられ、下端部は地中への差込みを容易にするため先鋭にしてあり、上端部には下部円筒１５０との接合面積を拡大安定させるための座面１３３とその座面に上述の下部円筒１５０をネジ止めするためのネジの下孔１３５と、ロケートピン挿入用の穴１３２が設けられている。１３７はワッシャであり、支柱１３０を地中に差込むときに、鍔１３４に当設せしめて、支柱の地中への差込代を規制して誘導テントが所定の高さに設営できるように機能する。支柱の表面は節足動物が登攀し易いように粗面にする必要がある。
【００３２】
次に、羽化トラップ１００の設営手順について説明する。まず羽化トラップを設営場所に運搬する前に、運搬の容易化と現地での作業を容易にするために、次の作業を完了しておく。
【００３３】
即ち、捕獲袋１２０の下側の開口１２５（図６）を上部円筒１４０の上部の小径部に被着し、小径部を開口１２５から挿入し、捕獲袋１２０の下端末と上部円筒１４０の下端部が略一致したところで、Uの字状の押圧板１４８を捕獲袋１２０のシートの上から当接してビス１４７をネジ用下孔１４５に螺着する。
【００３４】
また、誘導テント１１０の中央部の切込み１１６の下方に下部円筒１５０を位置せしめ、下部円筒１５０の上部に誘導テントの切込み１１６を被着し、下部円筒１５０の上部を挿入して、誘導テントの素地の端末が、下部円筒の鍔１５１に略一致したところで、Uの字状の押圧板１５３を誘導テントの素材の上から当接してビス１５６により下部円筒１５０のビス用下孔に螺着する。この場合、ビスの１本は支柱１３０に対するロケートのため、サイズの大きいビス１５４を使用する。
その後、羽化トラップを、運搬の容易な上部円筒１４０と捕獲袋１２０の組立体と、誘導テント１１０と下部円筒１５０（ビス１５５付き）の組立体と、支柱１３０、保持棒１６０、固定部材（ぺグ）１７０、蝶ネジ１３６、ワッシャ１３７の単体部品を林野等の設営場所まで運搬し、その設営場所において、上部円筒１４０と捕獲袋１２０の組立体と、誘導テント１１０と下部円筒１５０の組立体とを雌ネジ１４６と雄ネジ１５２とを螺着して一体化し、続けてビス１５４とビス１５５を支柱１３０のロケート用の孔１３２に挿通した後、支柱１３０の上端部に、下部円筒１５０を蝶ネジ１３６で螺着固定する。
【００３５】
その後、上記の作業で組み付けられた羽化トラップの支柱を垂直に立ててワッシャ１３７が地表面に当接するまでその下端部を地中に差込む。
【００３６】
この状態で、捕獲袋１２０の上部のビニール製チャックを開き、保持棒１６０の一端を捕獲袋１２０の穴１２９に既に取付けられているガイドチューブ１６２内に挿入し、その後他端を捕獲袋１２０の盲孔１２８に挿入し、保持棒１６０の中央の拡径部１６１を上部円筒１４０の上部開口１４２に位置せしめ、保持棒１６０と溝１４３とを係合し、底部まで押下げた後、右周りに回転して着座させる。この状態でストラップ１２６、１２７を外方に引張って捕獲袋１２０の形状を整えた後（図４、図５）、ビニール製チャックを開放し、ガイドチューブ１６２を中央側に寄せて、捕獲袋の上部を開口させる（図７）。
【００３７】
そして、開口１２４から、蒸発性の低いプロピレングリコール等の防腐液を液面が上部円筒の誘導孔１４１の下縁に近いところまで注入し、ビニール製チャック１２２を閉じる(図８)。
【００３８】
そして、誘導テントを図１に示すように正方形に広げ固定部材１７０によって接地部１１７の４隅及び中央部を地面に固定する。以上の作業によって、羽化トラップの設営作業が完了する。
【００３９】
羽化トラップの運搬形態及び構成部品は、上記に限定されるものではなく、運搬前に上部円筒組立体と下部円筒組立体を螺着し更に支柱１３０を組付けたものであっても良い。また捕獲袋１２０のポリエチレンや塩化ビニールのシートの厚さを厚くすればガイドチューブ１６２を省略することもできる。保持棒１６０の中央部にペイントマーク等を付して拡径部１６１を削除して、単一径の丸棒とすることもできる。また、ビニール製チャック１２２は捕獲袋の形状保持のために２本としたが、捕獲袋１２０のシートの厚さを厚くした場合や、ビニール製チャックを大型化した場合には１本にすることもできる。
【００４０】
また、ロケートピン兼用のビス１５５を蝶ネジ１３６に替えて、支柱１３０と下部円筒１５０との締結強度を高めることもできる。また、支柱１３０の鍔１３４を金属製の圧着リングに替えて拡径部をなくすこともできる。
なお、本実施の形態においては、捕獲袋１２０に防腐液を注入したが、節足動物の捕獲期間が極短期の場合、或いは節足動物を生捕りする場合には防腐液の注入は不要である。
【００４１】
次に、節足動物の捕獲経路について説明する。図８は本発明の実施形態に係る節足動物の捕獲経路の説明図である。地表から捕獲袋１２０までの捕獲経路は４経路に大別される。図８に示す通り、地表から誘導テント１１０の内面、下部円筒１５０の内面を登攀し、上部円筒１４０の誘導孔１４１の下縁を経て捕獲袋１２０の防腐液に至る第１の経路（１）と、地表から支柱１３０の外表面を登攀し、上部円筒１４０の誘導孔１４１の下縁を経て捕獲袋１２０内の防腐液に至る第２の経路（２）と、地表から誘導テントの内、下部円筒１５０の内を飛翔して、上部円筒１４０の誘導孔１４１から捕獲袋１２０内の防腐液に至る第３の経路（３）、地表から誘導テントの内、下部円筒１５０の内、上部円筒１４０の内を飛翔し、更に上方へ飛翔し上部開口１４２を通過し、捕獲袋内の防腐液に至る第４の経路（４）の４経路である。
【００４２】
捕獲した節足動物を持ち帰るには、まず捕獲袋１２０内の節足動物を、サンプル管に収納する。図１２は本発明の実施形態に係るサンプル管の断面図である。図１２において、２２０は捕獲した節足動物を収納するためのサンプル管の本体部となる透明樹脂又はガラス製の円筒であり、上端部と下端部の外表面に雄ネジ２２１、２２２が設けられている。２３０は節足動物と防腐液とを分離するためのストレーナ部であり、中央部の仕切部２３２を境とした上部と下部の内面にそれぞれ雌ネジ２３３を有する外部円筒２３１と、外面に雄ネジ２３６を有する内部円筒２３５と外部円筒２３１と内部円筒２３５の間に螺着固定されるネット２３４から構成されている。そして円筒２２０の下部の雄ネジ２２２と外部円筒２３１の雌ネジ２３３を螺着して円筒２２０とストレーナ部２３０とは一体化される。
【００４３】
また、サンプル管２００は、内面に雌ネジ２１１の設けられた樹脂製の上蓋２１０と、内面に雌ネジ２４１の設けられた樹脂製の下蓋２４０を構成部品としている。
【００４４】
捕獲袋１２０の防腐液に浮遊、沈殿している捕獲された節足動物をサンプル管に収納するには、上部円筒１４０と下部円筒１５０との螺着締結を解除して上部円筒組立体を分離し、上蓋２１０と下蓋２４０とを取外したサンプル管の円筒２２０の雄ネジ２２１と上部円筒１４０の下部の雌ネジ１４６とを螺着し、保持棒１６０と上部円筒１４０の係止を解除して、保持棒１６０を上方に持上げて、防腐液に浮遊、沈殿している節足動物をサンプル管に流し込む、この場合、防腐液と共にサンプル管に流れ込まれないで捕獲袋に付着している節足動物は、捕獲袋１２０の上側の開口１２４から水を注いで、サンプル管に流し込む。
【００４５】
節足動物がサンプル管に収納されたら、サンプル管（即ち、円筒２２０とストレーナ部２３０との組立体）と上部円筒組立体との螺着を解除し、上蓋２１０と下蓋２４０とを螺着して持ち返る。なお、防腐液は別に準備した回収容器で回収する。
【００４６】
更に、同じ羽化トラップで継続して、節足動物を捕獲するときは、上部円筒
組立体と下部円筒組立体とを螺着し、防腐液を捕獲袋の上側の開口１２４から注入すればよく、羽化トラップ総てを持ち返るときは組立て時と逆の手順で分解すればよい。
【実施例１】
【００４７】
実施例として下記諸元に係る羽化トラップを製作した。
（１）誘導テント
素材：不織布（ユニチカ ラブシート20307、タイプＷＴＤ、１０５１ｍｍ×５０ｍ）
正方形の１辺の長さａ：１０５０ｍｍ
４隅の切除部の１辺の長さｂ：２２５ｍｍ
切込み長さｃ：２７５ｍｍ
完成品： 
正方形の１辺の長さｆ：５００ｍｍ
周縁部の幅ｅ：２５ｍｍ
重ね数：９
（２）捕獲袋
素材：ポリエチレンシート
幅×高さ×厚さ：２１０ｍｍ×１９０ｍｍ×０.１ｍｍ
完成品：
幅ｉ×全高ｈ１×防腐液注入部高さｈ２：
２００ｍｍ×１３０ｍｍ×５０ｍｍ
（３）支柱
材質：木
直径×長さ（地上部＋地中部）：
１０mm×（２３０ｍｍ+１７０ｍｍ）
（４）上部円筒
材質：透明アクリル
内径（下部＋上部）×高さ×厚さ：
（約４０ｍｍ+３０ｍｍ）×１２０ｍｍ×３ｍｍ
（５）下部円筒
材質：透明アクリル
内径×高さ×厚さ：
約４０ｍｍ×１２０ｍｍ×３ｍｍ
(６) 保持棒
材質：木
長さ×直径×拡径部直径
２００ｍｍ×３ｍｍ×６mm
(７）防腐液
５０％に希釈したプロピレングリコール約３００ｃｃ
上記諸元の実施例１に係る羽化トラップを茨城県つくば市松の里にある森林総合研究所構内のコナラ林に３本の調査木を選び、それぞれの根元付近に設営した。
【００４８】
夏から翌年の夏までの１年間放置し節足動物を捕獲した。その結果を節足動物の分類群別に整理し、個体数を表１に示した。
【００４９】
本実施例１に係る羽化トラップは、従来のピラミッド型、テント型に比較して、製作が容易かつ安価で、特に運搬・設営・回収性の良いものであることが立証された。
【００５０】
また、羽化トラップを設営してから12ヶ月後に回収されたサンプルは、まったく腐敗しておらず良好な状態で保存されていたことから、防腐液としてプロピレングリコールを使用すれば、サンプル回収のために頻繁に調査地を訪れる必要がないことが確認された。
【００５１】
【表１】
2007082439.tif 000003
【図面の簡単な説明】
【００５２】
【図１】本発明の実施形態に係る羽化トラップの斜視図である。
【図２】本発明の実施形態に係る誘導テントの説明図であり、（A）は折畳み前の状態図、（B）は周縁部を折畳んだ後の状態図、（C）は完成図である。
【図３】本発明の実施形態に係る誘導テントの４隅の折畳み手順の説明図である。
【図４】本発明の実施形態に係る捕獲袋、上部円筒及び下部円筒の組付け状態における正面視断面図である。
【図５】本発明の実施形態に係る捕獲袋、上部円筒及び下部円筒の組付け状態における側面視断面図である。
【図６】本発明の実施形態に係る捕獲袋の正面図であり、組付ける前の状態図である。
【図７】本発明の実施形態に係る捕獲袋の開閉操作の説明図であり、開放状態図を示す断面図である。
【図８】本発明の実施形態に係る節足動物の捕獲経路の説明図である。
【図９】本発明の実施形態に係る誘導テントの支柱の説明図であり、（A）は正面図、（B）は上部の断面図、（C）は平面図である。
【図１０】本発明の実施形態に係る上部円筒の詳細説明図であり、（A）は正面図、（B）は左側面図である。
【図１１】本発明の実施形態に係る上部円筒の説明図であり、（A）は右側面図、（B）は図（A）に係る平面図である。（C）は図（A）に係る溝の拡大図である。
【図１２】本発明の実施形態に係るサンプル管の断面図である
【図１３】従来例に係るピラミッド型の羽化トラップの説明図であり、（Ａ）は斜視図、（Ｂ）は上部の断面図である。
【図１４】他の従来例に係るテント型の羽化トラップの説明図であり、（Ａ）は斜視図、（Ｂ）は捕獲容器の斜視図、（Ｃ）は図（Ａ）に係る断面図である。
【符号の説明】
【００５３】
１００．．． 羽化トラップ
１１０・・・誘導テント
１１１．．．４隅（切除部）
１１２．．． 切込み
１１３・・・孔（ぺグ挿通用）
１１４．．．ホッチキス
１１５．．．周縁部
１１６・・・切込み（中央開口）
１１７．．．接地部
１２０．．．捕獲袋
１２１・・・本体（透明シート）
１２２．．．ビニール製チャック
１２３．．．溶着ライン 
１２４・・・開口（上側）
１２５．．．開口（下側）
１２６、１２７．．．ストラップ
１２８．．．盲穴
１２９．．．孔
１３０．．．支柱 
１３１・・・支柱本体
１３２．．．穴（ロケ−ト用）
１３３．．． 座面
１３４・・・鍔
１３５・・・ネジ用下孔
１３６・・・蝶ネジ
１３７・・・ワッシャ
１４０．．．上部円筒
１４１．．．誘導孔
１４２・・・上部開口
１４３．．．溝（保持棒係止用）
１４４．．． 下部開口
１４５．．．ネジ用下孔
１４６・・・雌ネジ
１４７．．．ビス
１４８．．． 押圧板
１５０．．．下部円筒
１５１・・・鍔
１５２．．．雄ネジ
１５３．．．押圧板
１５４、１５５・・・ビス（ロケート兼用）
１５６．．．ビス
１６０．．．保持棒
１６１・・・拡径部
１６２．．．ガイドチューブ
１７０．．．ぺグ （固定部材）
２００・・・サンプル管
２１０．．．上蓋
２１１．．．雌ネジ 
２２０・・・円筒
２２１．．．雄ネジ（上部）
２２２．．．雄ネジ（下部）
２３０・・・ストレーナ部
２３１．．．外部円筒
２３２．．． 仕切り部    
２３３・・・雌ネジ      
２３４．．．ネット
２３５．．．内部円筒
２３６・・・雄ネジ        
２４０．．．下蓋
２４１．．．雌ネジ 
３００．．．羽化トラップ
３１０．．．傾斜部材 
３２０・・・水平部材
３３０．．．誘導ネット
３４０．．．天井板 
３５０・・・捕獲容器
３５１．．．外筒
３５２．．．内筒
【図１】
2007082439.tif 000004
【図２】
2007082439.tif 000005
【図３】
2007082439.tif 000006
【図４】
2007082439.tif 000007
【図５】
2007082439.tif 000008
【図６】
2007082439.tif 000009
【図７】
2007082439.tif 000010
【図８】
2007082439.tif 000011
【図９】
2007082439.tif 000012
【図１０】
2007082439.tif 000013
【図１１】
2007082439.tif 000014
【図１２】
2007082439.tif 000015
【図１３】
2007082439.tif 000016
【図１４】
2007082439.tif 000017